(57)【要約】      （修正有）【課題】ゆったりとくつろいで窓の外の景色を楽しんだり、隣席の人と会話を楽しんだりできる長距離バスまたは観光バスを提供する。【解決手段】車体両側の窓に沿って一列に設けられ、座面が窓側に向かって斜めになるよう配置され、背もたれが９０度から１８０度までの任意角度にリクライニング可能な座席１と、を備えたバスを提供することにより、ゆったりとくつろいで窓の外の景色を楽しんだり、隣席の人と会話を楽しんだりできる長距離バスまたは観光バスを提供する。【選択図】図５
2017036003.tif 000002
【特許請求の範囲】
【請求項１】
車体両側の窓に沿って一列に設けられ、座面が窓側に向かって斜めになるよう配置された、背もたれが９０度から１８０度までの任意角度にリクライニング可能な座席と、
を備えたことを特徴とするバス。
【請求項２】
前記窓と前記座面の下辺とで構成する角度が約３０度であることを特徴とする請求項１に記載のバス。
【発明の詳細な説明】
【技術分野】
【０００１】
本発明は、ゆったりとくつろいで窓の外の景色を楽しんだり、隣席の人と会話を楽しんだりできる長距離バスまたは観光バスに関するものである。
【背景技術】
【０００２】
従来より、バスを利用した観光地めぐり、夜行便や昼行便による長距離移動バスが利用されている。これら長距離バスや観光バスは、狭い車内に長時間滞在する必要があり、リラックスして外の景色を楽しめるよう、また、睡眠をとったり体を休めることができるよう、様々な工夫がされている。短距離移動が主な用途である路線バスは入口ドアと出口ドアが、それぞれ別の場所に設けられていることが多いが、観光バスや長距離バスは、人の出入りの頻度が少なく、座席スペースを広めに確保する必要があるため、入口兼出口が前方運転席横に１つ設けられ、座席スペースが広めにとってある構造が多く採用される。移動中に、リラックスして休養するため、背もたれがリクライニングする構造としてあることが多く、更に、特許文献１のように、座席を斜めに配置して窓の外の景色が見えやすくした構造のバスも考案されている。
【先行技術文献】
【特許文献】
【０００３】
【特許文献１】実用新案登録第２５６１８２２号公報
【発明の概要】
【発明が解決しようとする課題】
【０００４】
しかし、特許文献１のバスの座席配置は、乗客の収容効率をあげるため座席間のスペースが少なく、背もたれのリクライニングはできるが、すこし倒す程度で、基本的に、座った状態で外の景色を見ながら移動するということに主眼を置いており、夜行バス等、座席上で睡眠をとる必要が生じる場面では、快適とは言いがたい。また、観光バスや長距離バスは、友人同士、家族で利用することが多いが、座席が全て一律に窓の外を向いているため、隣席の人とのコミュニケーションが取りづらいという問題があった。
【０００５】
そこで、この発明の目的は、観光バスや長距離バスにおいて、椅子にもベッドにも利用でき、横たわったまま窓の外の景色を楽しむこともできて、隣席に座った人と目を合わせてコミニュケーションできるバスを提供する。
提供する。
【課題を解決するための手段】
【０００６】
そこで、この発明のバスは、車体両側の窓に沿って一列に設けられ、座面が窓側に向かって斜めになるよう配置され、背もたれが９０度から１８０度までの任意角度にリクライニング可能な座席と、を備えたことを特徴とする。
【０００７】
この発明によれば、座席に座った状態で、体が窓の方向に向くので、リラックスして外の景色を楽しむことができる。また、窓側の座席が全て斜めに配置されているので、前後の座席に座ったひとと目を合わせて会話を楽しむこともできる。
【０００８】
また、この発明のバスの窓と、座席座面の下辺とで構成する角は、約３０度であることを特徴とする。
【０００９】
この発明によれば、座席に座ったまま、窓の外の景色を楽しむことができ、かつ、隣接する座席に座っている人と目線を合わせて会話することもできるので、長時間のバス移動でも、楽しい時間を過ごすことができる。
【図面の簡単な説明】
【００１０】
【図１】この発明の実施の形態１にかかるバス１００の座席１の背もたれ１１を起した状態を示す参考斜視図である。
【図２】図１に示したバス１００の座席１の背もたれ１１を倒した状態を示す参考斜視図である。
【図３】この発明の実施の形態１にかかるバス１００の座席配置を示す参考図であって、座席１は背もたれ１１を起した状態を示す。
【図４】図３に示すバス１００の座席配置を示す参考図であって、座席１は背もたれ１１を倒した状態を示す。
【図５】図３に示すバス１００の使用状態を示す参考図である。
【図６】図５のＡ部拡大図である。
【図７】この発明の実施の形態１にかかるバス１００の右側面図である。
【図８】この発明の実施の形態２にかかるバス２００の座席配置を示す参考図であって、座席１は背もたれ１１を起した状態を示す。
【図９】図８に示すバス２００の座席配置を示す参考図であって、座席１を１つおきに回転し向きを変えた状態を示す。
【図１０】図８に示すバス２００の使用状態を示す参考図である。
【図１１】図１０のＢ部拡大図である。
【発明を実施するための形態】
【００１１】
以下、本発明の実施の形態について、図面を示しながら詳細に説明する。
（実施の形態１）
【００１２】
図１は、この発明の実施の形態１にかかるバス１００の座席１の背もたれ１１を起した状態を示す参考斜視図である。図２は、図１に示したバス１００の座席１の背もたれ１１を倒した状態を示す参考斜視図である。
【００１３】
図１に示すように、バス１００の窓側には背もたれ１１をリクライニング可能な座席１を配置する。座席１は、列車やバスで使用されているリクライニング式の座席１である。列車やバスでは前後左右の座席とのスペースの兼ね合いで、背もたれ１１を倒す角度は２５度から３０度のものが一般的であるが、本実施の形態１のバス１００は、１８０度、すなわち、座面と略フラットなるまで背もたれ１１を倒すことができる座席１を使用する。
【００１４】
座席１には、フットレスト１３が設けられている。フットレスト１３の上端は、座面１２の下端に回転可能に取り付けられていて、フットレスト１３の下端を手で持ち、そのまま持ち上げると、フットレスト１３を床面に平行な角度に固定することができる。フットレスト１３は、靴を脱いで足を載せてリラックスするときに使用する。
【００１５】
図２に示すように、  座席１の肘掛け１４は、背もたれ１１に回転可能に取り付けられており、背もたれ１１を倒すことができる。背もたれ１１の倒す角度は９０度から１８０度までの間の任意角度に調節可能である。背もたれ１１を全部倒すと１８０度、すなわち、座面１２とフラットになるような角度にすることができる。肘掛け１４は、背もたれ１１に回転可能に取り付けられており、背もたれ１１をフラットになるまで倒した際は、肘掛け１４もを座面１２と平行な角度に調整すると良い。
【００１６】
フットレスト１３は、背もたれ１１と同じように、座面１２と同じ高さになるようフラットにしても良いし、図２のように、斜め下方に向けた角度としても良い。靴を履いたまま、背もたれ１１をリクライニングさせるときは、フットレスト１３は、すこし下向きくらいの角度にしておくほうが、足が楽である。
【００１７】
図３は、この発明の実施の形態１にかかるバス１００の座席配置を示す参考図であって、座席１は背もたれ１１を起した状態を示す。図４は、図３に示すバス１００の座席配置を示す参考図であって、座席１は背もたれ１１を倒した状態を示す。図５は、図３に示すバス１００の使用状態を示す参考図である。図６は、は図５のＡ部拡大図である。図７は、この発明の実施の形態１にかかるバス１００の右側面図である。
【００１８】
本実施の形態１のバス１００は、２通りの座席配置を使い分けることができる。１つ目の座席配置は、乗客を座席に座らせる座席配置であり、乗客を多く収容したい昼行便等、睡眠時間を取るより、窓の外の景色を楽しむことに主眼を置きたい場合に使う。もう１つの座席配置は、乗客をリクライニングした座席に横たわらせる座席配置であり、少なめの乗客人数で、ゆったりと過ごしてもらう夜行便や長距離バス等、窓の外を見るより、睡眠をとったり、隣席の友人・家族とコミュニケーションをとりたい場合に有用である。
【００１９】
図３に示すように、バス１００は、背もたれ１１を起した椅子形状の座席１を両側の窓側にそれぞれ一列ずつ設けてある。両側の窓側にそれぞれ設けられた座席１は、窓から少し離れた位置に設置され、座席の向きが、窓に向かって斜めになるように設置されている。窓と座席１の座面１２の下辺とで構成する角度は約３０度となっている。窓と座面１２の下辺とで構成する角度は、２０度から４０との間がよく最適な角度は３０度である。この角度で座席１を配置すると、窓から外が見やすく、かつ、バスの進行方向（前方）も見えて、隣席の人と目をあわせて会話を楽しむこともできる。
【００２０】
バス１００の中央部分は、ゆったりとしたスペースが設けられ、通路となっている。中央のスペースには、荷物を置いたり、小テーブルを設置する等しても良い。中央スペースには折りたたみ式の簡易座席を設けても良い。
【００２１】
図４に示すように、窓側に設けられた座席１の背もたれ１１を倒し、フットレスト１３を使いやすい角度に上げると、座席１はフラットな寝台とすることができる。背もたれ１１は、座面１１と略フラットになるところまで倒しても良いし、３０度程度、リクライニングさせるだけでも良い。背もたれ１１の角度は、各自で、好みの角度に倒して使用することができる。
【００２２】
図６に示すように、リクライニングさせた座席１に、各自、横たわると、座席１が窓側に向かって斜めに設けられていることで、寝転んだままでも、窓の外の景色を楽しむことができる。座席が前向きに設置されている場合、窓の外を見るためには、首を９０度、横に回して外を見る必要があり、首と肩が疲れるが、バス１００の座席１のように、窓側に向かって斜めに設けられていると、首を横にまわさなくても、首をまっすぐさせたまま、窓の外の景色を楽しむことができ、首や肩が疲れない。
【００２３】
また、図７に示すように、座席１が進行方向に対して斜めの角度をもって設けられていることで、隣接する座席に横たわる人と、寝転んだままでも、目線を合わせて会話を楽しむことできる。長距離バスや夜行バスでの移動時に、リラックスした状態で、コミュニケーションを楽しむことが可能である。
【００２４】
図７に示すように、バス１００は、一般的な路線バスや観光バスよりも、窓の面積が多くとられており、窓の上下幅が長くなっている。窓の下端は、タイヤのすぐ上のところまで来ている。座席１の背もたれ１１をリクライニングさせると、頭の位置が下にくるが、バス１００は、窓が、たっぷりと下方まで大きく広がっているので、寝転んだままでも、窓から外の景色を楽しむことができる。
【００２５】
バス１００について、床面が高く作られている構造のバスに設置する場合は、窓の上下幅を長くせず、通常の窓の大きさとしても良い。リクライニングしたまま、窓の外を見られるよう、座席の高さが担保できれば、窓の面積は小さくても良い。
【００２６】
（実施の形態２）
次に、図８から図１１を示しながら、実施の形態２のバス２００について説明する。
【００２７】
図８は、この発明の実施の形態２にかかるバス２００の座席配置を示す参考図であって、座席１は背もたれ１１を起した状態を示す。図９は、図８に示すバス２００の座席配置を示す参考図であって、座席１を１つおきに回転し向きを変えた状態を示す。図１０は、図８に示すバス２００の使用状態を示す参考図であり、図１１は、図１０のＢ部拡大図である。
【００２８】
本実施の形態２のバス２００は、２通りの座席配置を使い分けることができる。１つ目の座席配置は、乗客を座席に座らせる座席配置であり、乗客を多く収容したい昼行便等、睡眠時間を取るより、窓の外の景色を楽しむことに主眼を置きたい場合に使うもので、実施の形態１と同じ配置かつ用途である。もう１つの座席配置は、乗客をリクライニングした座席に横たわらせる座席配置であり、さらに、座席１は、回転可能な固定台の上に設置され、座席の向きを１８０度反対側に変えることができる。すなわち、窓側を向いた座席１を、１８０度回転させて、バス中央側に向かって斜めとなるよう、座席１の向きを変えることができるので、隣接する座席１に座った人と、向かい合って話すことができる座席配置にすることが可能である。夜行バス等で、窓の外を見るより、同じバスに乗り合わせた人と、楽しくおしゃべりしたいときに有用である。
【００２９】
図８に示すように、バス２００は、背もたれ１１を起した椅子形状の座席１を両側の窓側にそれぞれ一列ずつ設けてある。両側の窓側にそれぞれ設けられた座席１は、窓に向かって斜めに設置されている。窓と座席１の座面１２の下辺とで構成する角度は約３０度となっている。窓と座面１２の下辺とで構成する角度は、２０度から４０との間がよく最適な角度は３０度である。この角度で座席１を配置すると、窓から外が見やすく、かつ、バスの進行方向（前方）も見えて、隣席の人と目をあわせて会話を楽しむこともできる。
【００３０】
座席１は、回転可能な固定台の上に設けられており、座席１の向きを１８０度変えることができる。図８の矢印が示すように、ひとつおきに、座席１を回して向きを変えると、図９のように、座席１の向きを互い違いになるように配置することができる。このような座席配置にすると、座席１に座った人は、隣接する座席１に座った人と、向かい合うような形で座ることができるので、コミュニケーションが取りやすく、バス１００での長距離移動の時間を楽しく使うことができる。
【００３１】
実施の形態２のバス２００は、座席１の向きを互い違いにできるので、互い違いの向きにした状態で、図１０及び図１１に示すように、座席１の背もたれ１１をリクライニングさせると、寝転んだまま、向かい合うような座席配置とすることができる。座席１の向きは、好みの向きに固定できるので、向かい合うような形ではなく、それぞれが窓に向かって横たわる形としても良いし、隣の人とおしゃべりしたくなったら、座席１を回転させて向かい合わせにしても良いし、シチュエーションによって、座席１の向きを変えて、バス２００内で、快適な時間を過ごすことができる。
【００３２】
以上本発明のバスについて詳細に説明したが、本発明は、上記実施形態に限定されるものではなく、本発明の要旨を逸脱しない範囲において、各種の改良や変更を行ってもよい。
【符号の説明】
【００３３】
１００，２００， バス
１          座席
１１                背もたれ
１２                  座面
１３                フットレスト
１４                  肘掛け
１５                回転式土台部
１６                  ペダル
２        運転席    
４           出入口
５         窓
Ｈ         人
【図１】
2017036003.tif 000003
【図２】
2017036003.tif 000004
【図３】
2017036003.tif 000005
【図４】
2017036003.tif 000006
【図５】
2017036003.tif 000007
【図６】
2017036003.tif 000008
【図７】
2017036003.tif 000009
【図８】
2017036003.tif 000010
【図９】
2017036003.tif 000011
【図１０】
2017036003.tif 000012
【図１１】
2017036003.tif 000013